【手続補正書】
【提出日】平成19年7月27日(2007.7.27)
【手続補正１】
【補正対象書類名】特許請求の範囲
【補正対象項目名】全文
【補正方法】変更
【補正の内容】
【特許請求の範囲】
【請求項１】
記録媒体に記録した複数の画像を表示する画像処理装置であって、
前記記録媒体に記録した画像を拡大表示する拡大表示手段と、
前記拡大表示された画像の拡大位置及び拡大倍率を設定または移動する拡大位置移動手段と、
前記複数の画像の画像送りを実行し、前記画像の拡大表示の後に前記画像送りを行う場合は、前記画像の拡大表示における拡大位置及び拡大倍率を保持したまま、次の画像の拡大表示を行う画像送り手段と、
装置の動作状態に応じて、前記拡大位置移動手段と前記画像送り手段の何れか１つの機能を、所定の共通部材に割り当てる割り当手段とを有することを特徴とする画像処理装置。
【請求項２】
装置の拡大表示モードとして、前記拡大位置移動手段が機能する通常モードと、前記画像送り手段が機能する拡大送りモードを備えており、前記割り当手段は、前記通常モードの場合は前記共通部材に前記拡大位置移動手段の機能を割り当て、前記拡大送りモードの場合は前記共通部材に前記画像送り手段の機能を割り当てることを特徴とする請求項１に記載の画像処理装置。
【請求項３】
装置の拡大表示モードとして、前記拡大位置移動手段が機能する通常モードと、前記画像送り手段が機能する拡大送りモードを備えており、前記いずれの拡大表示モードであるかのガイダンスを表示するガイダンス表示手段をさらに有することを特徴とする請求項１または２に記載の画像処理装置。
【請求項４】
前記拡大位置移動手段のための操作部材と前記画像送り手段のための操作部材をそれぞれ別に設け、装置の拡大表示モードにおいて、両方の前記部材による操作を可能としたことを特徴とする請求項１に記載の画像処理装置。
【請求項５】
前記拡大表示手段を機能させる拡大表示モードに移行した後、前記画像送り手段が拡大できない画像への画像送りを行った場合、前記拡大表示モードを解除せず、次の拡大可能画像の表示を可能とすることを特徴とする請求項１に記載の画像処理装置。
【請求項６】
前記拡大表示手段を機能させる拡大表示モードに移行した後、前記画像送り手段が拡大できない画像への画像送りを行った場合、前記拡大表示モードを解除することを特徴とする請求項１に記載の画像処理装置。
【請求項７】
前記拡大表示手段を機能させる拡大表示モードに移行した後、前記画像送り手段が動画像への画像送り、前記動画像が再生された場合、前記拡大表示モードを解除せず、次の拡大できる画像の表示を可能とすることを特徴とする請求項１に記載の画像処理装置。
【請求項８】
前記拡大表示手段を機能させる拡大表示モードに移行した後、前記画像送り手段が動画像への画像送り、前記動画像が再生された場合、前記拡大表示モードを解除することを特徴とする請求項１に記載の画像処理装置。
【請求項９】
前記拡大表示手段を機能させる拡大表示モードに移行した後、前記画像送り手段による画像送り中に画像を消去した場合でも、前記拡大表示モードを解除しないことを特徴とする請求項１に記載の画像処理装置。
【請求項１０】
画像送りを行う複数の画像のサイズが異なる場合には、画像全体の割合から拡大位置及び倍率を計算する計算手段をさらに有することを特徴とする請求項１に記載の画像処理装置。
【請求項１１】
画像送りを行う複数の画像の回転角度が異なる場合には、画像全体の割合から拡大位置及び倍率を計算する計算手段をさらに有することを特徴とする請求項１に記載の画像処理装置。
【請求項１２】
前記記録媒体に記録されている画像が１枚しかない場合には、前記割り当手段による割り当てを制限することを特徴とする請求項１に記載の画像処理装置。
【請求項１３】
被写体を撮像して画像を得る撮像手段をさらに有し、前記記録媒体に記録される画像は、前記撮像手段により得られた画像であることを特徴とする請求項１〜１２のいずれかに記載の画像処理装置。
【請求項１４】
記録媒体に記録した複数の画像を表示する画像処理装置の画像表示方法であって、
前記記録媒体に記録した画像を拡大表示する拡大表示工程と、
装置の動作状態に応じて、拡大位置移動機能と画像送り機能の何れか１つの機能を、所定の共通部材に割り当てる割り当工程と、
前記所定の共通部材に前記拡大位置移動機能が割り当てられた場合は、前記拡大表示された画像の拡大位置及び拡大倍率を設定または移動する拡大位置移動工程と、
前記複数の画像の画像送りを実行し、前記所定の共通部材に前記画像送り機能が割り当てられかつ前記画像の拡大表示の後に前記画像送りを行う場合は、前記画像の拡大表示における拡大位置及び拡大倍率を保持したまま、次の画像の拡大表示を行う画像送り工程とを有することを特徴とする画像表示方法。
【請求項１５】
記録媒体に記録した複数の画像を表示する画像処理装置の画像表示方法を実行するためのプログラムであって、
前記記録媒体に記録した画像を拡大表示する拡大表示ステップと、
装置の動作状態に応じて、拡大位置移動機能と画像送り機能の何れか１つの機能を、所定の共通部材に割り当てる割り当ステップと、
前記所定の共通部材に前記拡大位置移動機能が割り当てられた場合は、前記拡大表示された画像の拡大位置及び拡大倍率を設定または移動する拡大位置移動ステップと、
前記複数の画像の画像送りを実行し、前記所定の共通部材に前記画像送り機能が割り当てられかつ前記画像の拡大表示の後に前記画像送りを行う場合は、前記画像の拡大表示における拡大位置及び拡大倍率を保持したまま、次の画像の拡大表示を行う画像送りステップとを有することを特徴とするプログラム。
【請求項１６】
記録媒体に記録した複数の画像を表示する画像処理装置の画像表示方法の各ステップを実行するためのプログラムコードを記憶した記憶媒体であって、
前記記録媒体に記録した画像を拡大表示する拡大表示ステップと、
装置の動作状態に応じて、拡大位置移動機能と画像送り機能の何れか１つの機能を、所定の共通部材に割り当てる割り当ステップと、
前記所定の共通部材に前記拡大位置移動機能が割り当てられた場合は、前記拡大表示された画像の拡大位置及び拡大倍率を設定または移動する拡大位置移動ステップと、
前記複数の画像の画像送りを実行し、前記所定の共通部材に前記画像送り機能が割り当てられかつ前記画像の拡大表示の後に前記画像送りを行う場合は、前記画像の拡大表示における拡大位置及び拡大倍率を保持したまま、次の画像の拡大表示を行う画像送りステップと、の各ステップを実行するためのプログラムコードを有することを特徴とする記憶媒体。
【手続補正２】
【補正対象書類名】明細書
【補正対象項目名】０００６
【補正方法】変更
【補正の内容】
【０００６】
上記目的を達成するために、本発明の画像処理装置は、記録媒体に記録した複数の画像を表示する画像処理装置であって、前記記録媒体に記録した画像を拡大表示する拡大表示手段と、前記拡大表示された画像の拡大位置及び拡大倍率を設定または移動する拡大位置移動手段と、前記複数の画像の画像送りを実行し、前記画像の拡大表示の後に前記画像送りを行う場合は、前記画像の拡大表示における拡大位置及び拡大倍率を保持したまま、次の画像の拡大表示を行う画像送り手段と、装置の動作状態に応じて、前記拡大位置移動手段と前記画像送り手段の何れか１つの機能を、所定の共通部材に割り当てる割り当手段とを有することを特徴とする。
【手続補正３】
【補正対象書類名】明細書
【補正対象項目名】０００７
【補正方法】変更
【補正の内容】
【０００７】
また、本発明の画像表示方法は、記録媒体に記録した複数の画像を表示する画像処理装置の画像表示方法であって、前記記録媒体に記録した画像を拡大表示する拡大表示工程と、装置の動作状態に応じて、拡大位置移動機能と画像送り機能の何れか１つの機能を、所定の共通部材に割り当てる割り当工程と、前記所定の共通部材に前記拡大位置移動機能が割り当てられた場合は、前記拡大表示された画像の拡大位置及び拡大倍率を設定または移動する拡大位置移動工程と、前記複数の画像の画像送りを実行し、前記所定の共通部材に前記画像送り機能が割り当てられかつ前記画像の拡大表示の後に前記画像送りを行う場合は、前記画像の拡大表示における拡大位置及び拡大倍率を保持したまま、次の画像の拡大表示を行う画像送り工程とを有することを特徴とする。
【手続補正４】
【補正対象書類名】明細書
【補正対象項目名】０００８
【補正方法】変更
【補正の内容】
【０００８】
また、本発明のプログラムは、記録媒体に記録した複数の画像を表示する画像処理装置の画像表示方法を実行するためのプログラムであって、前記記録媒体に記録した画像を拡大表示する拡大表示ステップと、装置の動作状態に応じて、拡大位置移動機能と画像送り機能の何れか１つの機能を、所定の共通部材に割り当てる割り当ステップと、前記所定の共通部材に前記拡大位置移動機能が割り当てられた場合は、前記拡大表示された画像の拡大位置及び拡大倍率を設定または移動する拡大位置移動ステップと、前記複数の画像の画像送りを実行し、前記所定の共通部材に前記画像送り機能が割り当てられかつ前記画像の拡大表示の後に前記画像送りを行う場合は、前記画像の拡大表示における拡大位置及び拡大倍率を保持したまま、次の画像の拡大表示を行う画像送りステップとを有することを特徴とする。
【手続補正５】
【補正対象書類名】明細書
【補正対象項目名】０００９
【補正方法】変更
【補正の内容】
【０００９】
また、本発明の記憶媒体は、記録媒体に記録した複数の画像を表示する画像処理装置の画像表示方法の各ステップを実行するためのプログラムコードを記憶した記憶媒体であって、前記記録媒体に記録した画像を拡大表示する拡大表示ステップと、装置の動作状態に応じて、拡大位置移動機能と画像送り機能の何れか１つの機能を、所定の共通部材に割り当てる割り当ステップと、前記所定の共通部材に前記拡大位置移動機能が割り当てられた場合は、前記拡大表示された画像の拡大位置及び拡大倍率を設定または移動する拡大位置移動ステップと、前記複数の画像の画像送りを実行し、前記所定の共通部材に前記画像送り機能が割り当てられかつ前記画像の拡大表示の後に前記画像送りを行う場合は、前記画像の拡大表示における拡大位置及び拡大倍率を保持したまま、次の画像の拡大表示を行う画像送りステップと、の各ステップを実行するためのプログラムコードを有することを特徴とする。